(57)【要約】【課題】  内蔵または装着された記録媒体に画像を記録できない、外部へ画像を出力する動作モードである場合に、ユーザーにそのことをより確実に識別させる。【解決手段】  前記記録媒体に画像を記録可能な第１の動作モードに設定されている場合には記録先である記録媒体を示す第１の種別の表示アイテムを表示し、  内蔵または装着された記録媒体に画像を記録することなく前記出力手段から前記画像を出力する第２の動作モードに設定されている場合には、前記第１の種別の表示アイテムを表示することなく、前記出力手段から画像を出力することを示す第２の種別の表示アイテムを表示するように制御する。【選択図】  図２
2019009692.tif 000002
【特許請求の範囲】
【請求項１】
内蔵または装着された記録媒体に画像を記録するように制御する記録制御手段と、
前記画像を外部機器に出力する出力手段と、
前記記録媒体に画像を記録可能な第１の動作モードと、前記記録媒体に画像を記録することなく前記出力手段から前記画像を出力する第２の動作モードとを含む複数の動作モードのいずれかに設定する設定手段と、
前記第１の動作モードに設定されている場合には記録先である前記記録媒体を示す第１の種別の表示アイテムを表示し、前記第２の動作モードに設定されている場合には、前記第１の種別の表示アイテムを表示することなく、前記出力手段から画像を出力することを示す第２の種別の表示アイテムを表示するように制御する表示制御手段と
を有することを特徴とする記録制御装置。
【請求項２】
記録媒体を装着する複数の装着部を有し、
前記記録制御手段は、前記複数の装着部のうち選択された装着部に装着された記録媒体に画像を記録するように制御し、
前記表示制御手段は、前記第１の動作モードに設定されている場合に、前記第１の種別の表示アイテムとして、前記複数の装着部のうち選択された装着部を示す表示アイテムを表示するように制御することを特徴とする請求項１に記載の記録制御装置。
【請求項３】
前記出力手段として複数の種別の出力手段を有し、
前記設定手段は、前記第２の動作モードとして、前記複数の種別の出力手段のうちいずれから画像を出力する動作モードかを設定可能であり、
前記表示制御手段は、前記第２の動作モードに設定されている場合に、前記第２の種別の表示アイテムとともに、前記複数の種別の出力手段のうちいずれから画像を出力する動作モードかを示す表示アイテムを表示するように制御することを特徴とする請求項１または２に記載の記録制御装置。
【請求項４】
前記表示制御手段は、前記第２の動作モードでの動作開始の際に、画像が前記記録媒体に記録されない旨の通知を表示するように制御することを特徴とする請求項１乃至３のいずれか１項に記載の記録制御装置。
【請求項５】
内蔵または装着された記録媒体に画像を記録するように制御する記録制御手段と、
前記画像を外部機器に出力する出力手段と、
前記記録媒体に画像を記録可能な第１の動作モードと、前記記録媒体に画像を記録することなく前記出力手段から前記画像を出力する第２の動作モードとを含む複数の動作モードのいずれかに設定する設定手段と、
前記第２の動作モードでの動作開始の際に、画像が前記記録媒体に記録されない旨の通知を表示するように制御する表示制御手段と
を有することを特徴とする記録制御装置。
【請求項６】
前記表示制御手段は、前記第２の動作モードに設定されている場合に、記録媒体を装着する装着部に記録媒体が装着されたことに応じて、画像が前記記録媒体に記録されない旨の通知を表示するように制御することを特徴とする請求項１乃至５のいずれか１項に記載の記録制御装置。
【請求項７】
前記表示制御手段は、前記第２の動作モードに設定されている場合に、記録媒体を装着する装着部に記録媒体が装着されている状態で、動画の記録開始を指示する操作部が操作されたことに応じて、画像が前記記録媒体に記録されない旨の通知を表示するように制御することを特徴とする請求項１乃至６のいずれか１項に記載の記録制御装置。
【請求項８】
前記表示制御手段は、前記第２の動作モードに設定されている場合に、前記出力手段に画像の出力先となる外部機器が接続されていない状態で、動画の記録開始を指示する操作部が操作されたことに応じて、画像が前記記録媒体に記録されない旨の通知を表示するように制御することを特徴とする請求項１乃至７のいずれか１項に記載の記録制御装置。
【請求項９】
前記出力手段として、第１の種別の出力手段と第２の種別の出力手段を含む複数の出力手段を有し、
前記設定手段は、前記第２の動作モードとして、前記複数の種別の出力手段のうちいずれから画像を出力する動作モードかを設定可能であり、
前記表示制御手段は、前記第１の種別の出力手段から画像を出力する第２の動作モードに設定されている場合に、前記第１の種別の出力手段に外部機器が接続されていない状態で、動画の記録開始を指示する操作部が操作されたことに応じて、前記通知を表示するように制御し、
前記第２の種別の出力手段から画像を出力する第２の動作モードに設定されている場合には、前記第２の種別の出力手段に外部機器が接続されているか否かに関わらず、前記操作部が操作されても前記通知を表示しないように制御することを特徴とする請求項８項に記載の記録制御装置。
【請求項１０】
前記第１の種別の出力手段は、ＨＤＭＩ出力端子であることを特徴とする請求項９に記載の記録制御装置。
【請求項１１】
前記表示制御手段は、前記通知とともに、前記設定手段で設定されている動作モードを示す表示を行うように制御することを特徴とする請求項４乃至８のいずれか１項に記載の記録制御装置。
【請求項１２】
前記出力手段は、前記記録制御手段で記録媒体に記録可能な画像の階調よりも多階調の画像を出力可能であることを特徴とする請求項１乃至９のいずれか１項に記載の記録制御装置。
【請求項１３】
撮像手段を更に有し、前記画像は前記撮像手段で撮像された画像であることを特徴とする請求項１乃至１２のいずれか１項に記載の記録制御装置。
【請求項１４】
画像を外部機器に出力する出力手段を有する記録制御装置の制御方法であって、
内蔵または装着された記録媒体に画像を記録するように制御する記録制御ステップと、
前記記録媒体に画像を記録可能な第１の動作モードと、前記記録媒体に画像を記録することなく前記出力手段から前記画像を出力する第２の動作モードとを含む複数の動作モードのいずれかに設定する設定ステップと、
前記第１の動作モードに設定されている場合には記録先である前記記録媒体を示す第１の種別の表示アイテムを表示し、前記第２の動作モードに設定されている場合には、前記第１の種別の表示アイテムを表示することなく、前記出力手段から画像を出力することを示す第２の種別の表示アイテムを表示するように制御する表示制御ステップと
を有することを特徴とする記録制御装置の制御方法。
【請求項１５】
画像を外部機器に出力する出力手段を有する記録制御装置の制御方法であって、
内蔵または装着された記録媒体に画像を記録するように制御する記録制御ステップと、
前記記録媒体に画像を記録可能な第１の動作モードと、前記記録媒体に画像を記録することなく前記出力手段から前記画像を出力する第２の動作モードとを含む複数の動作モードのいずれかに設定する設定ステップと、
前記第２の動作モードでの動作開始の際に、画像が前記記録媒体に記録されない旨の通知を表示するように制御する表示制御ステップと
を有することを特徴とする記録制御装置方法。
【請求項１６】
コンピュータを、請求項１乃至１３のいずれか１項に記載された記録制御装置の各手段として機能させるためのプログラム。
【請求項１７】
コンピュータを、請求項１乃至１３のいずれか１項に記載された記録制御装置の各手段として機能させるためのプログラムを格納したコンピュータが読み取り可能な記憶媒体。
【発明の詳細な説明】
【技術分野】
【０００１】
本発明は外部に画像を出力可能な記録制御装置に関するものである。
【背景技術】
【０００２】
従来、メモリーカード等の複数の記録メディアを装着した場合にどの記録メディアに記録が行われるかを示すために、アイコン等を使用して映像（画像）の記録先メディアをユーザーに通知する技術が知られている（特許文献１）。
【０００３】
ユーザーはこれによって、現在録画している映像が、装着している記録メディアに記録されていることを撮影中に確かめることができ、記録していたつもりが記録されていなかった等の撮影ミスを防ぐことができる。
【先行技術文献】
【特許文献】
【０００４】
【特許文献１】特開２００６−３５２１８３号公報
【発明の概要】
【発明が解決しようとする課題】
【０００５】
上記従来例では映像の記録先として機器に装着された記録メディアだけを想定している。そのため、映像の記録先が機器に装着された記録メディアではなく、機器の外部映像出力端子に接続された外部記録装置である場合には、そのことをユーザーに正確に通知することができない。この場合、ユーザーは映像の記録先が機器に装着された記録メディアではないことを認識できず、機器に装着された記録メディアに記録したつもりが記録できていなかった等のミスが発生する可能性がある。
【０００６】
そこで本発明は、内蔵または装着された記録媒体に画像を記録できない、外部へ画像を出力する動作モードである場合に、ユーザーにそのことをより確実に識別させることができる記録制御装置を提供することを目的とする。
【課題を解決するための手段】
【０００７】
本発明の記録制御装置は、上記課題に鑑み、
内蔵または装着された記録媒体に画像を記録するように制御する記録制御手段と、
前記画像を外部機器に出力する出力手段と、
前記記録媒体に画像を記録可能な第１の動作モードと、前記記録媒体に画像を記録することなく前記出力手段から前記画像を出力する第２の動作モードとを含む複数の動作モードのいずれかに設定する設定手段と、
前記第１の動作モードに設定されている場合には記録先である前記記録媒体を示す第１の種別の表示アイテムを表示し、前記第２の動作モードに設定されている場合には、前記第１の種別の表示アイテムを表示することなく、前記出力手段から画像を出力することを示す第２の種別の表示アイテムを表示するように制御する表示制御手段と
を有することを特徴とする。
【発明の効果】
【０００８】
本発明によれば、内蔵または装着された記録媒体に画像を記録できない、外部へ画像を出力する動作モードである場合に、ユーザーにそのことをより確実に識別させることができる。
【図面の簡単な説明】
【０００９】
【図１】デジタルカメラ１００の概略構成ブロック図である。
【図２】ディスプレイ１０５に表示される画面の表示例である。
【図３】撮影オード処理のフローチャートである。
【図４】記録モード通知画面を表示する変形例１のフローチャートである。
【図５】記録モード通知画面を表示する変形例２のフローチャートである。
【図６】記録モード通知画面を表示する変形例３のフローチャートである。
【発明を実施するための形態】
【００１０】
図１に、本発明を適用可能な記録装置としてのデジタルカメラ１００の構成の一例を示す。図１において、内部バス１５０に対してＣＰＵ１０１、メモリ１０２、不揮発性メモリ１０３、画像処理部１０４、ディスプレイ１０５、操作部１０６、記録媒体Ｉ／Ｆ１０７、外部Ｉ／Ｆ１０９、撮像部１１０が接続されている。内部バス１５０に接続される各部は、内部バス１５０を介して互いにデータのやりとりを行うことができるようにされている。
【００１１】
メモリ１０２は、例えばＲＡＭ（半導体素子を利用した揮発性のメモリなど）からなる。ＣＰＵ１０１は、例えば不揮発性メモリ１０３に格納されるプログラムに従い、メモリ１０２をワークメモリとして用いて、デジタルカメラ１００の各部を制御する。不揮発性メモリ１０３には、画像データや音声データ、その他のデータ、ＣＰＵ１０１が動作するための各種プログラムなどが格納される。不揮発性メモリ１０３は例えばハードディスク（ＨＤ）やＲＯＭなどで構成される。
【００１２】
画像処理部１０４は、ＣＰＵ１０１の制御に基づいて、不揮発性メモリ１０３や記録媒体１０８に格納された画像データや、外部Ｉ／Ｆ１０９を介して取得した映像信号、撮像部１１０で撮像された画像データなどに対して各種画像処理を施す。画像処理部１０４が行う画像処理には、Ａ／Ｄ変換処理、Ｄ／Ａ変換処理、画像データの符号化処理、圧縮処理、デコード処理、拡大／縮小処理（リサイズ）、ノイズ低減処理、色変換処理などが含まれる。画像処理部１０４は特定の画像処理を施すための専用の回路ブロックで構成しても良い。また、画像処理の種別によっては画像処理部１０４を用いずにＣＰＵ１０１がプログラムに従って画像処理を施すことも可能である。
【００１３】
ディスプレイ１０５は、ＣＰＵ１０１の制御に基づいて、画像やＧＵＩ（Ｇｒａｐｈｉｃａｌ  Ｕｓｅｒ  Ｉｎｔｅｒｆａｃｅ）を構成するＧＵＩ画面などを表示する。ＣＰＵ１０１は、プログラムに従い表示制御信号を生成し、ディスプレイ１０５に表示するための映像信号を生成してディスプレイ１０５に出力するようにデジタルカメラ１００の各部を制御する。ディスプレイ１０５は出力された映像信号に基づいて映像を表示する。なお、デジタルカメラ１００自体が備える構成としてはディスプレイ１０５に表示させるための映像信号を出力するためのインターフェースまでとし、ディスプレイ１０５は外付けのモニタ（テレビなど）で構成してもよい。
【００１４】
操作部１０６は、タッチパネル、ボタン、ダイヤル、ジョイスティック、タッチセンサ、タッチパッドなどを含む、ユーザー操作を受け付けるための入力デバイスである。なお、タッチパネルは、ディスプレイ１０５に重ね合わせて平面的に構成され、接触された位置に応じた座標情報が出力されるようにした入力デバイスである。
【００１５】
記憶媒体Ｉ／Ｆ１０７は、メモリーカード等の記録媒体１０８（記録メディア）が装着可能とされ、ＣＰＵ１０１の制御に基づき、装着された記録媒体１０８からのデータの読み出しや、当該記録媒体１０８に対するデータの書き込みを行う。
【００１６】
外部Ｉ／Ｆ１０９は、外付けのモニタや外部レコーダーが装着可能とされ、映像信号、音声信号、制御信号の入出力を行うためのインターフェースであり、ＨＤＭＩ（登録商標）端子やＳＤＩ端子によって構成される。
【００１７】
撮像部１１０は、ＣＣＤセンサやＣＭＯＳセンサなどの撮像素子、ズームレンズ、フォーカスレンズ、シャッター、絞り、測距部、Ａ／Ｄ変換器などにより構成されるカメラユニットである。撮像部１１０では静止画、動画を撮像可能であり、撮像された画像の画像データは画像処理部１０４に送信され、各種処理を施された後、それぞれ静止画ファイル、動画ファイルとして記録媒体１０８に記録される。
【００１８】
デジタルカメラ１００は、撮影モード、再生モードの２つのモードを含む複数の動作モードのいずれかに切り替えることができる。撮影モードは撮像部１１０によって撮像を行い、記録媒体１０８あるいは外部レコーダーに記録するするための動作モードである。再生モードは記録媒体１０８に記録された画像をディスプレイ１０５あるいは外部Ｉ／Ｆ１０９に接続された外付けモニタに再生表示するための動作モードである。操作部１０６に含まれる撮影／再生モード切替ボタンが押されることで、撮影モードから再生モード、再生モードから撮影モードへと切り替わる。
【００１９】
デジタルカメラ１００は、内蔵記録モード（本体記録優先モード）と外部記録専用モードの少なくとも二つの記録モードのいずれかに設定可能である。内蔵記録モード（本体記録優先モード）は、撮像部１１０によって撮像された画像の画像ファイルを記録媒体１０８に記録可能とする動作モードである。外部記録専用モードは、撮像された画像の画像データを外部Ｉ／Ｆ１０９に接続された外部レコーダーに記録するための動作モードである。外部記録専用モードは、外部Ｉ／Ｆ１０９のＳＤＩ端子から映像出力するＳＤＩ端子出力での外部記録専用モード、外部Ｉ／Ｆ１０９のＨＤＭＩ端子から映像出力するＨＤＭＩ端子出力での外部記録専用モードに分けられる。内蔵記録モードで記録媒体１０８に記録される画像は階調が各色８ｂｉｔの画像（映像）である。一方、外部記録専用モードでは、ＳＤＩ端子またはＨＤＭＩ端子から、１０ｂｉｔまたは１２ｂｉｔのハイダイナミックレンジ（ＨＤＲ）の画像（映像）を出力可能である（８ｂｉｔの画像を出力することも可能である）。すなわち、外部記録専用モードでは、内蔵記録モードで記録媒体１０８に記録される画像よりも多階調の画像を外部出力することが可能である。これらの記録モードのいずれかに、操作部１０６の記録モード選択ボタンが押された場合にディスプレイ１０５に表示される記録モード選択画面により切り替えることが可能である。
【００２０】
図２（ａ）に、ディスプレイ１０５に表示される記録モード選択画面の表示例を示す。選択肢２０１は本体記録優先（内部記録モード）に設定するための選択肢であり、この選択肢を選択することでデジタルカメラ１００は内蔵記録モードに切り替わる。選択肢２０２はＳＤＩ端子出力での外部記録専用モードに設定するための選択肢であり、このボ選択肢を選択することでデジタルカメラ１００はＳＤＩ端子出力での外部記録専用モードに切り替わる。選択肢２０３はＨＤＭＩ端子出力での外部記録専用モードに設定するための選択肢であり、この選択肢を選択することでデジタルカメラ１００はＨＤＭＩ端子出力での外部記録専用モードに切り替わる。
【００２１】
デジタルカメラ１００が内蔵記録モードで動作しているとき、撮像部１１０によって撮像された画像は記録媒体Ｉ／Ｆ１０７に装着された記録媒体１０８に記録される。この記録動作の開始と停止は、操作部１０６のＲＥＣボタンを押下することによりユーザーから指示される。デジタルカメラ１００の記録媒体Ｉ／Ｆ１０７には２つのメモリーカードスロット（記録媒体の装着部）があり、それぞれスロットＡ、スロットＢと呼ぶことにする。それぞれのスロットには記録媒体としてメモリーカードを装着することが可能である。デジタルカメラ１００が内蔵記録モードで動作しているときには、ディスプレイ１０５には記録先の記録媒体１０８（すなわち、記録先として選択されているスロット）を表すメディアアイコンが表示される。
【００２２】
図２（ｂ）に、ディスプレイ１０５に表示される、メディアアイコンを表示した内蔵記録モードでの撮影待機画面の表示例を示す。アイコン２１１は記録先（記録先として選択された記録媒体）がスロットＡに装着されているメモリーカードであることを示すメディアアイコン（表示アイテム）である。アイコン２１１は他の撮影設定を示す情報と同様、背景であるライブビュー画像に重畳して表示される。また、アイコン２１１に対応付いた位置（アイコン２１１の横）には、アイコン２１１が示す記録先のメモリーカードに記録された撮影済み動画の時間、あるいは、残容量から算出される残り撮影可能時間が表示される。
【００２３】
デジタルカメラ１００が外部記録専用モードで動作しているとき、撮像部１１０によって撮像された画像は外部Ｉ／Ｆ１０９のＳＤＩ端子あるいはＨＤＭＩ端子から映像信号として出力される。デジタルカメラ１００がＳＤＩ端子出力での外部記録専用モードで動作している場合にはＳＤＩ端子から、ＨＤＭＩ端子出力での外部記録専用モードで動作している場合にはＳＤＩ端子から映像信号が出力される。なお、デジタルカメラ１００が外部記録専用モードで動作しているときは、記録媒体Ｉ／Ｆ１０７に記録媒体１０８が装着されていたとしても、記録媒体１０８には画像は記録されない。デジタルカメラ１００が外部記録専用モードで動作しているときには、ディスプレイ１０５には外部記録専用モードで動作していることを示す外部記録専用アイコンが表示される。
【００２４】
図２（ｃ）に、ディスプレイ１０５に表示される、外部記録専用アイコンを表示した外部記録専用モードでの撮影待機画面の表示例を示す。アイコン２２１は外部記録専用モードで動作していることを示す外部記録専用アイコン（表示アイテム）である。アイコン２２２はデジタルカメラ１００がＳＤＩ端子出力での外部記録専用モードで動作していることを表すＳＤＩアイコン（表示アイテム）である。なお、デジタルカメラ１００がＨＤＭＩ出力端子での外部記録専用モードで動作している場合には、ＳＤＩアイコンではなくＨＤＭＩアイコン（表示アイテム）が表示される。
【００２５】
以上のように、本実施形態では、映像の記録先が機器に装着された記録メディアではなく外部記録装置である外部記録専用モードである場合に、記録メディアアイコン（アイコン２１１）の代わりに外部出力アイコン（アイコン２２１）を表示する。これによって、、ユーザーに外部記録専用モードであることを認識させ、撮影したつもりが記録できていなかった等のミスを防ぐことができる。
【００２６】
デジタルカメラ１００の動作モードが再生モードから撮影モードに切り替わる際に、ディスプレイ１０５には記録モード通知画面が表示される。図２（ｄ）に、記録モード通知画面の表示例を示す。ダイアログボックス２３１に表示された情報のうち一番上の行が現在の記録モードの通知であり、図示の例では現在の記録モードがＳＤＩ端子出力での外部記録専用モードであることを示している。また、デジタルカメラ１００の記録モードが外部記録専用モードであった場合、ダイアログボックス２３１とともに、ディスプレイ１０５には本体記録（記録媒体１０８への記録）が出来ないことをユーザーに通知するメッセージ２３２が表示される。なお、ここでは再生モードから撮影モードに切り替わる際に記録モードが外部記録専用モードであった場合に、本体記録が出来ないことをユーザーに通知するとしたが、この場合に限るものではなく、外部記録専用モードでの動作開始時に通知すればよい。すなわち、内蔵記録モード、再生モード、記録装置の電力消費を行わない電源オフモード、省電力モード等の外部記録専用モード以外のいずれかのモードから外部記録専用モードに切り替わった際に本体記録が出来ないことを通知するとしてもよい。なお、省電力モードとは、記録装置の電力消費を外部出力専用モードよりも少なくする動作モードである。このように、外部記録専用モード以外から外部記録専用モードへ切り替わった際に、本体記録が出来ないことをユーザーに通知するメッセージを表示することで、撮影した画像を記録媒体１０８に記録したつもりが記録できていなかった等のミスを防ぐことができる。
【００２７】
図３のフローチャートを用いて、前述の動作を実現する処理の流れを説明する。図３は、デジタルカメラ１００における撮影モード処理のフローチャートである。この処理は、不揮発性メモリ１０３に記録されたプログラムを、ワークメモリとしてのメモリ１０２に読み出し、ＣＰＵ１０１が実行することにより実現する。デジタルカメラ１００が起動され、撮影モードに設定されると図３の処理が開始される。
【００２８】
Ｓ３００では、撮像部１１０での撮影を開始し、撮像部１１０で撮影されたライブビュー画像（ＬＶ画像）をディスプレイ１０５に表示する。また、外部Ｉ／Ｆ１０７にＨＤＭＩ接続またはＳＤＩ接続で外部機器が接続されていた場合には、外部機器へのＬＶ画像の出力も開始する。
【００２９】
Ｓ３０１では、ＣＰＵ１０１は、不揮発性メモリ１０３に記録された現在の設定情報を参照し、ライブビュー画像に重畳して現在設定されている記録モードを含むいくらかの情報を表示する。これによって、図２（ｄ）で説明したダイアログボックス２３１が表示される。
【００３０】
Ｓ３０２では、ＣＰＵ１０１は、不揮発性メモリ１０３に記録された現在の設定情報を参照し、現在の記録モードが外部記録専用モードであるか否かを判定する。外部記録専用モードで有る場合（ＳＤＩ端子出力での外部記録専用モードまたはＨＤＭＩ端子出力での外部記録専用モードで動作している場合）にはＳ３０３に進み、そうでない場合にはＳ３０４に進む。
【００３１】
Ｓ３０３では、ＣＰＵ１０１は、本体記録が出来ないことをユーザーに通知するメッセージを表示する。この処理によって、図２（ｄ）で説明したメッセージ２３２が表示される。
【００３２】
Ｓ３０４では、ＣＰＵ１０１は、ダイアログボックス２３１またはメッセージ２３２を表示してから所定時間（例えば４秒）が経過したか、操作部１０６に対する何らかのユーザー操作があったか否かを判定する。真と判定された場合はＳ３０５に進み、そうでない場合はＳ３０４を繰り返し、真になるのを待つ。
【００３３】
Ｓ３０５では、ＣＰＵ１０１は、ディスプレイ１０５に表示されたダイアログボックス２３１、及びメッセージ２３２（表示していた場合は）を消去して非表示とする。ＬＶ画像の表示は継続する。
【００３４】
Ｓ３０６では、ＣＰＵ１０１は、不揮発性メモリ１０３からデジタルカメラ１００の現在の記録モードを読み出し、記録モードが外部記録専用モードであるか否かを判定する。現在の記録モードが外部記録専用モードである場合にはＳ３０７に進み、そうでなければＳ３１１にと進む。
【００３５】
Ｓ３０７では、ＣＰＵ１０１は、ディスプレイ１０５の記録先表示エリアに外部記録専用アイコンを表示するように制御する。これによって、図２（ｃ）で説明したアイコン２２１が表示される。
【００３６】
Ｓ３０８では、ＣＰＵ１０１は、不揮発性メモリ１０３からデジタルカメラ１００の現在の記録モードを読み出し、記録モードがＨＤＭＩ端子出力での外部記録専用モードであるか否かを判定する。記録モードがＨＤＭＩ端子出力での外部記録専用モードである場合にはＳ３０９に進み、そうでない場合、すなわち、ＳＤＩ端子出力での外部記録専用モードである場合にはＳ３１０へ進む。
【００３７】
Ｓ３０９では、ＣＰＵ１０１は、ディスプレイ１０５の外部記録専用アイコン（アイコン２２１）の表示位置の右隣にＨＤＭＩアイコンを表示する。
【００３８】
Ｓ３１０では、ＣＰＵ１０１は、ディスプレイ１０５の外部記録専用アイコン（アイコン２２１）の表示位置の右隣にＳＤＩアイコンを表示するように制御する。これによって、図２（ｃ）で説明したアイコン２２２が表示される。
【００３９】
Ｓ３１１では、ＣＰＵ１０１は、不揮発性メモリ１０３からデジタルカメラ１００の現在の記録先スロット（選択スロット）を読み出し、記録先スロットがスロットＡであるか否かを判定する。記録先スロットがスロットＡであればＳ３１２に進み、そうでない場合、すなわち記録先スロットがスロットＢで有る場合にはＳ３１３に進む。
【００４０】
Ｓ３１２では、ＣＰＵ１０１は、ディスプレイ１０５の記録先表示エリアに、記録先がスロットＡに装着されているメモリーカードである（記録先スロットがスロットＡであることを示す）ことを示すメディアアイコンＡを表示する。これによって、図２（ｂ）で説明したアイコン２１１が表示される。
【００４１】
Ｓ３１３では、ＣＰＵ１０１は画像処理部１０４に対し、ディスプレイ１０５の記録先表示エリアに、記録先がスロットＢに装着されているメモリーカードである（記録先スロットがスロットＢであることを示す）ことを示すメディアアイコンＢを表示する。
【００４２】
Ｓ３１４では、ＣＰＵ１０１は、操作部１０６に含まれる記録モード選択ボタンが押下されたか否かを判定する。記録モード選択ボタンが押下された場合は押されている場合にはＳ３１５へ進み、そうでなければＳ３２０へと進む。
【００４３】
Ｓ３１５では、ＣＰＵ１０１は、記録モード選択画面を表示する。これによって、前述した図２（ａ）の記録モード選択画面が表示される。なお、記録モード選択ボタンが押下された場合に記録モード選択画面を表示する例を説明したが、これに限るものではない。撮影待機画面（記録待機画面）を表示している際に操作部１０６に含まれるメニューボタンが押下されたことに応じて各種設定を行うメニュー画面を表示し、記録モード設定のメニュー項目が選択された場合に記録モード選択画面を表示するものとしても良い。
【００４４】
Ｓ３１６では、ＣＰＵ１０１は、記録モード選択画面に表示された選択肢のうち、外部記録専用モードの選択肢（選択肢２０２または選択肢２０３）が選択されたか否かを判定する。選択肢２０２または選択肢２０３がタッチされるか、選択カーソルをあてた状態で確定操作（操作部１０６に含まれるセットボタンの押下）が行われるとＳ３１７に進む。そうでない場合はＳ３１８に進む。
【００４５】
Ｓ３１７では、ＣＰＵ１０１は、不揮発性メモリ１０３の記録モードを保持している部分に対し、記録モード選択画面で選択された選択肢に対応する外部記録専用モードとするように書き込みを行う。また、画像処理部１０４、撮像部１１０に対し、外部記録専用モードとしての動作に切り替わるよう制御を行う。すなわち、記録モードをＳＤＩ端子出力での外部記録専用モード、またはＨＤＭＩ端子出力での外部記録専用モードに設定する。その後、Ｓ３０６に進み、設定された記録モードに応じて撮影待機画面の表示を更新する。
【００４６】
Ｓ３１８では、ＣＰＵ１０１は、記録モード選択画面に表示された選択肢のうち、本体記録優先モード（内部記録モード）の選択肢２０１が選択されたか否かを判定する。本体記録優先モード（内部記録モード）の選択肢２０１がタッチされるか、選択カーソルをあてた状態で確定操作（操作部１０６に含まれるセットボタンの押下）が行われるとＳ３１９に進み、そうでない場合はＳ３１６に戻る。
【００４７】
Ｓ３１９では、ＣＰＵ１０１は、不揮発性メモリ１０３の記録モードを保持している部分に対し、記録モードを本体記録優先モード（内部記録モード）とするように書き込みを行う。また、画像処理部１０４、撮像部１１０に対し、内蔵記録モードとしての動作に切り替わるよう制御を行う。すなわち、記録モードを本体記録優先モード（内部記録モード）に設定する。その後、Ｓ３０６に進み、設定された記録モードに応じて撮影待機画面の表示を更新する。
【００４８】
Ｓ３２０では、ＣＰＵ１０１は、操作部１０６に含まれる記録先スロット変更ボタンが押下されたか否か（記録先スロット変更操作があったか否か）を判定する。記録先スロット変更ボタンが押下された場合（記録先スロット変更操作があった場合）はＳ３２１に進み、そうでない場合はＳ３２５に進む。
【００４９】
Ｓ３２１では、ＣＰＵ１０１は、不揮発性メモリ１０３から現在の記録モードを読み出し、現在の記録モードが内蔵記録モード（本体記録優先モード）であるか否かを判定する。記録モードが内蔵記録モードであれば、Ｓ３２２に進み、そうでなければＳ３２５に進む。
【００５０】
Ｓ３２２では、ＣＰＵ１０１は、不揮発性メモリ１０３から現在の記録先スロットを読み出し、現在の記録先スロット（すなわち、記録先スロット変更操作前の記録先スロット）がスロットＡであるか否かを判定する。記録先スロットがスロットＡである場合にはＳ３２３へ進み、そうでなければＳ３２４へ進む。
【００５１】
Ｓ３２３では、ＣＰＵ１０１は、不揮発性メモリ１０３の記録先スロットを保持している部分に対し、記録先スロットがスロットＢになるように書き込みを行う。すなわち、記録先スロットをスロットＡからスロットＢに切り替える。記録先スロットを切り替えると、Ｓ３０６に進み、設定された記録先スロットに応じて撮影待機画面の表示を更新する。
【００５２】
Ｓ３２４では、ＣＰＵ１０１は、不揮発性メモリ１０３の記録先スロットを保持している部分に対し、記録先スロットがスロットＡになるように書き込みを行う。すなわち、記録先スロットをスロットＢからスロットＡに切り替える。記録先スロットを切り替えると、Ｓ３０６に進み、設定された記録先スロットに応じて撮影待機画面の表示を更新する。
【００５３】
Ｓ３２５では、ＣＰＵ１０１は、操作部１０６に含まれる、記録開始を指示する操作部材であるＲＥＣボタンが押下されたか否かを判定する。ＲＥＣボタンが押下された場合はＳ３２６へ進み、そうでない場合はＳ３２９へ進む。
【００５４】
Ｓ３２６ではＣＰＵ１０１は、ＲＥＣ開始処理（動画記録の開始処理）を行う。本体記録優先モードに設定されている場合には、記録先スロットに装着された記録媒体に対する撮像部１１０で撮影された動画の記録を開始する。また、本体記録優先モードと外部記録専用モードのいずれに設定されている場合も、外部機器が外部Ｉ／Ｆ１０９に接続されている場合には、撮像部１１０で撮影された動画映像とともに、記録指示コマンド（記録指示信号）を外部機器に送信する。記録指示コマンドは、外部機器に出力する動画の各フレームに対応付けて出力される。記録指示コマンドに対応した外部機器であれば、この記録指示コマンドを受信したことに応じて、デジタルカメラ１００から送信された映像の記録を開始する。そして、外部機器は、受信した各フレームに記録指示コマンドが対応付けて送信されている限り受信した動画の記録を継続する。外部機器は、受信したフレームに対応付いた記録指示コマンドを受信しなくなると、動画の記録を停止する。なお、動画記録中でも、ディスプレイ１０５には前述した本体記録優先モード（内蔵記録モード）での記録先を示すメディアアイコン、外部記録専用モードでの外部記録専用アイコンとＨＤＭＩアイコンまたはＳＤＩアイコンの表示は継続される。ここで、動画記録中とは、ＲＥＣ開始処理が行われ動画の記録が行われている、あるいは記録指示コマンドの出力中である状態である。
【００５５】
Ｓ３２７では、ＣＰＵ１０１は、操作部１０６に含まれるＲＥＣボタンが押下されたか否かを判定する。ＲＥＣボタンが押下された場合はＳ３２８へ進み、そうでない場合はＳ３２７でＲＥＣボタンが押下されるのを待つ。
【００５６】
Ｓ３２８では、ＣＰＵ１０１は、ＲＥＣ停止処理（動画記録の停止処理）を行う。本体記録優先モードに設定されている場合には、記録先スロットに装着された記録媒体に対する撮像部１１０で撮影された動画の記録を停止する。そして、動画ファイルのクローズ処理を行う。また、本体記録優先モードと外部記録専用モードのいずれに設定されている場合も、外部機器が外部Ｉ／Ｆ１０９に接続されている場合には、記録指示コマンド（記録指示信号）の外部機器への出力を停止する。あるいは、停止指示コマンド（記録停止信号）を送信してもよい。
【００５７】
Ｓ３２９では、ＣＰＵ１０１は、撮影モードの終了イベントがあったか否かを判定する。終了イベントには、電源オフ、再生モードへの移行指示などがある。終了イベントがない場合はＳ３１４に戻って処理を繰り返し、終了イベントがあったと判定した場合は撮影モード処理を終了する。
【００５８】
以上説明した処理により、図２（ａ）〜（ｄ）で説明した表示が行われる。
【００５９】
上述の実施形態では、記録モード通知画面として、記録モードの通知（ダイアログボックス２３１）と、外部記録専用モードであった場合に本体記録ができない旨の通知（メッセージ２３２）とを、撮影モード開始時に表示する例を説明した。撮影モード開始時とはすなわち、電源オン時や再生モードから撮影モード（撮影待機状態、記録待機状態）への移行時である。しかしこれに限るものではなく、図３で説明した記録モード通知画面の表示タイミングに代えて、あるいは追加で、以下の変形例で説明するタイミングで行うものとしても良い。
【００６０】
変形例１として、デジタルカメラ１００の動作モードが外部記録専用モードである場合に、メモリーカードスロットにメモリーカードが装着された際に、ディスプレイ１０５には記録モード通知画面を表示してもよい。ユーザーがメモリーカードを装着するときには、そのメモリーカードへの記録を行うことを意図していると想定される。従って、外部記録専用モードである場合にメモリーカードが装着された場合にはその時点で誤操作である可能性が考えられる。そのため、このタイミングで本体記録が出来ないことをユーザーに通知するメッセージを表示することで、撮影したつもりが記録できていなかった等のミスを防ぐことができる。図４に、変形例１の表示タイミングで記録モード通知画面を表示する処理のフローチャートを示す。図４の処理は、前述した図３に追加で行われる処理であり、図３のＳ３２０でＮｏとなると開始する。すなわち、撮影待機画面の表示中に行われる。
【００６１】
Ｓ４０１では、ＣＰＵ１０１は、記録媒体Ｉ／Ｆ１０７のスロットＡまたはスロットＢにメモリーカードが装着されているか否かをスロットＡ、スロットＢそれぞれのメモリーカード検出スイッチの状態を読み込むことで判定する。スロットＡあるいはスロットＢにメモリーカードが装着されている場合には、Ｓ４０２へ進む。そうでなければ、図３のＳ３２５へ進む。
【００６２】
Ｓ４０２では、ＣＰＵ１０１は、不揮発性メモリ１０３からデジタルカメラ１００の現在の記録モードを読み出し、記録モードが外部記録専用モードであるか否かを判定する。現在の記録モードが外部記録専用モードである場合にはＳ４０３に進み、そうでなければ図３のＳ３２５に進む。
【００６３】
Ｓ４０３では、ＣＰＵ１０１は、Ｓ４０２で読み込んだ現在の記録モードをディスプレイ１０５にダイアログボックス２３１として表示する。この処理は、前述した図３のＳ３０１と同様の処理である。
【００６４】
Ｓ４０４では、ＣＰＵ１０１は、本体記録不可メッセージをメッセージ２３２として表示する。この処理は、前述した図３のＳ３０３と同様の処理である。こうして、記録モード通知画面が表示される。記録モード通知画面（ダイアログボックス２３１、メッセージ２３２）は、表示してから所定時間（例えば４秒）が経過するか、何らかのユーザー操作があると非表示となる。記録モード通知画面が表示されると、図３のＳ３２５に進む。
【００６５】
変形例２として、デジタルカメラ１００の動作モードが外部記録専用モードである場合に、メモリーカードが装着された状態で操作部１０６のＲＥＣボタンが押下された場合に、記録モード通知画面を表示してもよい。ユーザーがメモリーカードを装着した状態でＲＥＣボタンを押下した場合には、そのメモリーカードへの記録を行うことを意図していると考えられるため、その時点で誤操作である可能性が考えられる。そのため、このタイミングで本体記録が出来ないことをユーザーに通知するメッセージを表示することで、撮影したつもりが記録できていなかった等のミスを防ぐことができる。
【００６６】
図５に、変形例２の表示タイミングで記録モード通知画面を表示する処理のフローチャートを示す。図５の処理は、前述した図３に追加で行われる処理であり、図３のＳ３２６の処理に続いて開始する。すなわち、Ｓ３２５でＲＥＣボタンが押下されたと判定され、ＲＥＣ開始処理が行われると図５の処理を開始する。
【００６７】
Ｓ５０１では、ＣＰＵ１０１は、不揮発性メモリ１０３からデジタルカメラ１００の現在の記録モードを読み出し、記録モードが外部記録専用モードであるか否かを判定する。現在の記録モードが外部記録専用モードである場合にはＳ５０２に進み、そうでなければ図３のＳ３２７へ進む。
【００６８】
Ｓ５０２では、ＣＰＵ１０１は、記録媒体Ｉ／Ｆ１０７のスロットＡまたはスロットＢにメモリーカードが装着されているか否かをスロットＡ、スロットＢそれぞれのメモリーカード検出スイッチの状態を読み込むことで判定する。スロットＡあるいはスロットＢにメモリーカードが装着されている場合には、Ｓ５０３へ進み、そうでなければ図３のＳ３２７へ進む。
【００６９】
Ｓ５０３、Ｓ５０４では、ＣＰＵ１０１は記録モード通知画面を表示する。この処理は、前述したＳ４０３、Ｓ４０４と同様の処理なので説明を省略する。
【００７０】
変形例３として、デジタルカメラ１００の動作モードがＨＤＭＩ端子出力での外部記録専用モードである場合に、ＨＤＭＩ端子に出力先となる外部機器が接続されていない状態でＲＥＣボタンが押下された場合に、記録モード通知画面を表示してもよい。外部レコーダーへの記録を目的とするＨＤＭＩ端子出力での外部記録専用モードで動作している場合に、ＨＤＭＩ端子に外部機器が接続されていない状態でユーザーがＲＥＣボタンを押下した場合には、メモリーカードへ記録することを意図していると想定される。しかしこれでは、時点で誤操作である。そのため、このタイミングで本体記録が出来ないことをユーザーに通知するメッセージを表示することで、撮影したつもりが記録できていなかった等のミスを防ぐことができる。なお、ＳＤＩ端子については、外部機器が接続されているか否かを検出できないため、ＳＤＩ端子出力での外部記録専用モードで動作している場合にはこのタイミングでのユーザーへの通知は行わないものとする。ただし、ＳＤＩ端子でも外部機器が接続されていることが検知できる場合には、同様のタイミングで通知しても良い。
【００７１】
図６に、変形例３の表示タイミングで記録モード通知画面を表示する処理のフローチャートを示す。図６の処理は、前述した図３に追加で行われる処理であり、図３のＳ３２６の処理に続いて開始する。すなわち、Ｓ３２５でＲＥＣボタンが押下されたと判定され、ＲＥＣ開始処理が行われると図６の処理を開始する。
【００７２】
Ｓ６０１では、ＣＰＵ１０１は、不揮発性メモリ１０３からデジタルカメラ１００の現在の記録モードを読み出し、記録モードがＨＤＭＩ出力端子での外部記録専用モードであるか否かを判定する。記録モードがＨＤＭＩ出力端子での外部記録専用モードである場合にはＳ６０２に進み、そうでなければ図３のＳ３２７へ進む。
【００７３】
Ｓ６０２では、ＣＰＵ１０１は、外部Ｉ／Ｆ１０９のＨＤＭＩ端子の状態を読み込み、ＨＤＭＩ端子に接続されている機器があるか否かを判定する。ＨＤＭＩ端子に接続されている機器がある場合には記録モードを改めて通知することなく図３のＳ３２７へ進み、ＨＤＭＩ端子に接続されている機器がない場合にはＳ６０３へ進む。
【００７４】
Ｓ６０３、Ｓ６０４では、ＣＰＵ１０１は記録モード通知画面を表示する。この処理は、前述したＳ４０３、Ｓ４０４と同様の処理なので説明を省略する。
【００７５】
なお、上述の各表示タイミングでの記録モード通知画面では、ダイアログボックス２３１での現在の記録モードの通知と、外部記録専用モードに設定されている場合にメッセージ２３２での本体記録が不可能である旨の通知の双方を行う例を説明した。しかしこれに限るものではなく、どちらか一方の通知のみとしても良い。
【００７６】
以上説明した実施形態によれば、現在の動作モードがデジタルカメラ１００に装着された記録媒体１０８に画像を記録できない、外部への記録専用の動作モードである場合に、ユーザーにそのことをより確実に識別させることができる。従って、デジタルカメラ１００の記録媒体スロットに装着された記録媒体、あるいは内蔵された記録媒体に画像を記録したつもりが、記録できていなかったといった撮影ミスを低減することができる。
【００７７】
なお、ＣＰＵ１０１が行うものとして説明した上述の各種制御は、１つのハードウェアが行ってもよいし、複数のハードウェアが処理を分担することで、装置全体の制御を行ってもよい。
【００７８】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７９】
また、上述した実施形態においては、本発明をデジタルカメラ１００に適用した場合を例にして説明したが、これはこの例に限定されない。内蔵された記録媒体または記録媒体装着部に装着された記録媒体への記録と、外部機器への映像の出力とを行える記録制御装置であれば適用可能である。すなわち、本発明は、撮像装置だけでなく、撮像以外の方法によって入力された映像を記録及び出力できる機器にも適用可能である。すなわち、本発明はパーソナルコンピュータやＰＤＡ、携帯電話端末や携帯型の画像ビューワ、デジタルフォトフレーム、音楽プレーヤー等に適用可能である。また、動画レコーダー、ゲーム機、電子ブックリーダー、タブレット端末、スマートフォン、投影装置、ディスプレイを備える家電装置や車載装置などに適用可能である。
【００８０】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2019009692.tif 000003
【図２】
2019009692.tif 000004
【図３】
2019009692.tif 000005
【図４】
2019009692.tif 000006
【図５】
2019009692.tif 000007
【図６】
2019009692.tif 000008